【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
ワイヤレスデバイスで複数のサブスクリプションと通信する方法であって、
チューンアウェイモードの間第1のサブスクリプションのアクティブな呼からチューンアウェイして、第2のサブスクリプションを使用して通信するステップと、
前記チューンアウェイモードの間前記第2のサブスクリプションを使用して第1のチューンアウェイ手順を実施するステップと、
前記アクティブな呼が維持されている間、前記第1のチューンアウェイ手順の前記実施の後で前記第2のサブスクリプションを使用して、前記チューンアウェイモードの間1つまたは複数の追加のチューンアウェイ手順が実施されるべきかどうかを判定するステップと、
前記1つまたは複数の追加のチューンアウェイ手順の実施を制限するように決定するステップと、
前記1つまたは複数の追加のチューンアウェイ手順の前記実施を制限する前記決定に基づいて、前記チューンアウェイモードを終了し、前記アクティブな呼に対する前記第1のサブスクリプションの使用にチューンバックするステップと
を含む、方法。
【請求項２】
前記チューンアウェイモードの間実施を制限する前記決定に応答して、チューンアウェイタイマを開始するステップ
をさらに含み、
前記チューンアウェイモードを終了し、前記第1のサブスクリプションの使用にチューンバックするステップが、前記チューンアウェイタイマの満了にさらに応答する、請求項1に記載の方法。
【請求項３】
前記チューンアウェイモードの間実施を制限する前記決定に応答して、前記チューンアウェイモードのチューンアウェイ周期に基づいて、前記第2のサブスクリプションへの次のチューンアウェイの発現まで、前記1つまたは複数の追加のチューンアウェイ手順の実施を遅らせるステップをさらに含む、請求項1に記載の方法。
【請求項４】
前記チューンアウェイモードの間実施を遅らせるステップが、セル再選択手順、隣接セルシステム情報読取り手順、登録手順、セル更新手順、位置更新手順、またはルーティング更新手順のうちの1つまたは複数を遅らせるステップをさらに含む、請求項3に記載の方法。
【請求項５】
前記チューンアウェイモードの間アウトオブサービス状態を決定するステップと、
前記決定されたアウトオブサービス状態に応答して、前記チューンアウェイモードを終了し、前記第1のサブスクリプションにチューンバックするアウトオブサービスを実施するステップと
をさらに含む、請求項1に記載の方法。
【請求項６】
複数のサブスクリプションと通信するためのコンピュータプログラムであって、
チューンアウェイモードの間第1のサブスクリプションのアクティブな呼からチューンアウェイして、第2のサブスクリプションを使用して通信することをコンピュータに行わせるための少なくとも1つの命令と、
前記チューンアウェイモードの間前記第2のサブスクリプションを使用して第1のチューンアウェイ手順を実施することを前記コンピュータに行わせるための少なくとも1つの命令と、
前記アクティブな呼が維持されている間、前記第1のチューンアウェイ手順の前記実施の後で前記第2のサブスクリプションを使用して、前記チューンアウェイモードの間1つまたは複数の追加のチューンアウェイ手順が実施されるべきかどうかを判定することを前記コンピュータに行わせるための少なくとも1つの命令と、
前記1つまたは複数の追加のチューンアウェイ手順の実施を制限するように決定することを前記コンピュータに行わせるための少なくとも1つの命令と、
前記1つまたは複数の追加のチューンアウェイ手順の前記実施を制限する前記決定に基づいて、前記チューンアウェイモードを終了し、前記アクティブな呼に対する前記第1のサブスクリプションの使用にチューンバックすることを前記コンピュータに行わせるための少なくとも1つの命令と
を備える、コンピュータプログラム。
【請求項７】
前記チューンアウェイモードの間実施を制限する前記決定に応答して、チューンアウェイタイマを開始することを前記コンピュータに行わせるための少なくとも1つの命令をさらに含み、
前記チューンアウェイモードを終了し、前記第1のサブスクリプションの使用にチューンバックすることが、前記チューンアウェイタイマの満了にさらに応答する、請求項6に記載のコンピュータプログラム。
【請求項８】
前記チューンアウェイモードの間実施を制限する前記決定に応答して、前記チューンアウェイモードのチューンアウェイ周期に基づいて、前記第2のサブスクリプションへの次のチューンアウェイの発現まで、前記1つまたは複数の追加のチューンアウェイ手順の実施を遅らせることを前記コンピュータに行わせるための少なくとも1つの命令をさらに含む、請求項6に記載のコンピュータプログラム。
【請求項９】
前記チューンアウェイモードの間実施を遅らせることが、セル再選択手順、隣接セルシステム情報読取り手順、登録手順、セル更新手順、位置更新手順、またはルーティング更新手順のうちの1つまたは複数を遅らせることをさらに含む、請求項8に記載のコンピュータプログラム。
【請求項１０】
前記チューンアウェイモードの間アウトオブサービス状態を決定することと、
前記決定されたアウトオブサービス状態に応答して、前記チューンアウェイモードを終了し、前記第1のサブスクリプションにチューンバックするアウトオブサービスを実施することと
を前記コンピュータに行わせるための少なくとも1つの命令をさらに含む、請求項6に記載のコンピュータプログラム。
【請求項１１】
複数のサブスクリプションと通信するための装置であって、
チューンアウェイモードの間第1のサブスクリプションのアクティブな呼からチューンアウェイして、第2のサブスクリプションを使用して通信するための手段と、
前記チューンアウェイモードの間前記第2のサブスクリプションを使用して第1のチューンアウェイ手順を実施するための手段と、
前記アクティブな呼が維持されている間、前記第1のチューンアウェイ手順の前記実施の後で前記第2のサブスクリプションを使用して、前記チューンアウェイモードの間1つまたは複数の追加のチューンアウェイ手順が実施されるべきかどうかを判定するための手段と、
前記1つまたは複数の追加のチューンアウェイ手順の実施を制限するように決定するための手段と、
前記1つまたは複数の追加のチューンアウェイ手順の前記実施を制限する前記決定に基づいて、前記チューンアウェイモードを終了し、前記アクティブな呼に対する前記第1のサブスクリプションの使用にチューンバックするための手段と
を備える、装置。
【請求項１２】
前記チューンアウェイモードの間実施を制限する前記決定に応答して、チューンアウェイタイマを開始するための少なくとも1つの手段をさらに備え、
前記チューンアウェイモードを終了し、前記第1のサブスクリプションの使用にチューンバックすることが、前記チューンアウェイタイマの満了にさらに応答する、請求項11に記載の装置。
【請求項１３】
前記チューンアウェイモードの間実施を制限する前記決定に応答して、前記チューンアウェイモードのチューンアウェイ周期に基づいて、前記第2のサブスクリプションへの次のチューンアウェイの発現まで、前記1つまたは複数の追加のチューンアウェイ手順の実施を遅らせるための少なくとも1つの手段をさらに備える、請求項11に記載の装置。
【請求項１４】
前記チューンアウェイモードの間実施を遅らせることが、セル再選択手順、隣接セルシステム情報読取り手順、登録手順、セル更新手順、位置更新手順、またはルーティング更新手順のうちの1つまたは複数を遅らせることをさらに含む、請求項13に記載の装置。
【請求項１５】
前記チューンアウェイモードの間アウトオブサービス状態を決定することと、
前記決定されたアウトオブサービス状態に応答して、前記チューンアウェイモードを終了し、前記第1のサブスクリプションにチューンバックするアウトオブサービスを実施することと
を行うための少なくとも1つの手段をさらに備える、請求項11に記載の装置。